(57)【特許請求の範囲】
【請求項１】
略円筒形に形成され、外周にシート材を巻き取る巻き芯部材と、
前記巻き芯部材の内部に一体に設けられ、前記巻き芯部材の外径を縮小でき、
前記シート材の巻き取り時は、前記巻き芯部材を拡径状態で保持し前記シート材の巻き取り状態を維持する外径縮小機構と、を備え、
前記巻き芯部材は、互いが径方向に接離することで外径を拡縮させる第１の本体部と第２の本体部とによって構成され、
前記外径縮小機構は、前記巻き芯部材の支軸に設けられたカムを有し、
前記カムに形成された保持部が前記第２の本体部と係合する方向へ、前記カムをスプリングで付勢し、
前記保持部が前記第２の本体部と係合することで前記第１の本体部と第２の本体部を離間させて接近移動を制限し、
前記保持部が前記第２の本体部との係合を解除することで前記第１の本体部と第２の本体部を接近させ外径を縮小することを特徴とするシート材巻き取り用の巻き芯。
【請求項２】
前記巻き芯部材に巻き掛けられ、該巻き芯部材との間に前記シート材を挟持して該巻き芯部材に巻き取らせる無端ベルトを有することを特徴とする請求項１に記載のシート材巻き取り用の巻き芯。
【請求項３】
前記巻き芯部材に巻き取られる前記シート材は、破棄される異なるサイズのシート材であることを特徴とする請求項１又は請求項２に記載のシート材巻き取り用の巻き芯。
【発明の詳細な説明】
【０００１】
【発明の属する技術分野】
本発明は、感光材料や受像材料等のシート状の材料を外周に巻き取るためのシート材巻き取り用の巻き芯に関する。
【０００２】
【従来の技術】
画像記録材料として、例えば感光材料と受像材料とを用いて画像記録処理を行う画像記録装置が知られている。
【０００３】
この種の画像記録装置では、感光材料と受像材料は、内部が遮光状態とされたマガジンにそれぞれロール状に巻き取られて収容されており、画像記録処理を行う度に引出しローラによって挟持されて順次引き出して使用される。また画像記録装置には、感光材料に像露光する露光部が配置されると共に、露光後の感光材料に画像形成用溶媒を塗布するための水塗布部が配置されている。さらに、水塗布部の側方には、熱現像転写部が配置されている。また、これらの露光部、水塗布部、熱現像転写部の間には、複数のガイド板及び搬送ローラが配置されており、各部を連結している。
【０００４】
マガジンから所定寸法引き出されて切断された感光材料は、搬送ローラによって挟持搬送されながら画像が露光され、さらに水塗布部において画像形成用溶媒としての水が塗布された後に熱現像転写部へ送り込まれる。一方、受像材料は、感光材料と同様にマガジンから所定寸法引き出されて切断され、搬送ローラによって感光材料と同期して熱現像転写部へ送り込まれる。熱現像転写部においては、水塗布後の感光材料が受像材料と重ね合わされ、この状態で搬送されながら感光材料が熱現像されると共に受像材料へ画像が転写され、所定の画像が受像材料に形成（記録）される。さらにその後は、感光材料と受像材料が分離され、画像が記録された受像材料が装置外部へ取り出される構成である。
【０００５】
ここで、このような従来の画像記録装置においては、前述の如く受像材料と分離された後の感光材料は廃棄されるため、これを纏めて集積する必要がある。この場合、受像材料と分離された後の感光材料を、筒状に形成された巻き芯の外周に順次巻き取って集積することが考えられる。
【０００６】
このような巻き芯に巻き取って集積すれば、小さなスペースに効率よく集積することができる。また、前述の如き水が塗布された感光材料は、加熱され受像材料と分離された後にカールが生じる場合があるが、巻き芯に巻き取って集積すれば、カールの発生に無関係に集積することができ、カール防止用の押さえ板を設けたり、感光材料自体に折り目（コルゲーション）を付けて剛性を上げる等の対策が不要であり、構造が簡単で低コストになる。
【０００７】
【発明が解決しようとする課題】
ところで、前述のように巻き芯に感光材料等のシート状の材料を巻き取って集積した場合には、当然のことながらその後に巻き芯とこれに巻き取られたシート材とを分離する必要がある。
【０００８】
しかしながら、前述の如き感光材料等のシート材が巻き芯に層状に巻き取られた後には、層状に密着して巻き取られたシート材から巻き芯のみを分離する（抜き出す）ことは困難であり、この点の対策が望まれる。
【０００９】
本発明は上記事実を考慮し、感光材料や受像材料等のシート状の材料を巻き取って集積することができるのみならず、巻き取った後のシート材から手間や労力を要することなく容易に分離することができ、かつこれを簡単な構造により実現できるシート材巻き取り用の巻き芯を得ることが目的である。
【００１０】
【課題を解決するための手段】
上記の目的を達成するために、請求項１に係る発明のシート材巻き取り用の巻き芯は、略円筒形に形成され、外周にシート材を巻き取る巻き芯部材と、前記巻き芯部材の内部に一体に設けられ、前記巻き芯部材の外径を縮小でき、前記シート材の巻き取り時は、前記巻き芯部材を拡径状態で保持し前記シート材の巻き取り状態を維持する外径縮小機構と、を備え、前記巻き芯部材は、互いが径方向に接離することで外径を拡縮させる第１の本体部と第２の本体部とによって構成され、前記外径縮小機構は、前記巻き芯部材の支軸に設けられたカムを有し、前記カムに形成された保持部が前記第２の本体部と係合する方向へ、前記カムをスプリングで付勢し、前記保持部が前記第２の本体部と係合することで前記第１の本体部と第２の本体部を離間させて接近移動を制限し、前記保持部が前記第２の本体部との係合を解除することで前記第１の本体部と第２の本体部を接近させ外径を縮小することを特徴としている。
【００１１】
請求項１記載のシート材巻き取り用の巻き芯では、シート材は、巻き芯部材の外周に順次層状に巻き取られる。
【００１２】
ここで、シート材が巻き芯部材に層状に巻き取られた後に、層状に巻き取られたシート材から巻き芯部材を分離する（抜き出す）際には、巻き芯部材の内部に設けられた外径縮小機構を作動させることにより、巻き芯部材を構成する第１の本体部と第２の本体部を接近させることで外径を縮小する。これにより、層状に密着して巻き取られたシート材から巻き芯部材を容易に分離することができる。
【００１３】
この外径縮小機構は、巻き芯部材の支軸に設けられたカムを備えており、カムに形成された保持部が第２の本体部と係合する方向へ移動するように、スプリングがカムを付勢している。すなわち、外径縮小機構を作動させ、保持部と第２の本体部を係合させることで第１の本体部と第２の本体部を離間させて互いの接近移動を制限して、シート材を巻き取る。また、保持部と第２の本体部との係合を解除することで、第１の本体部と第２の本体部を接近させ巻き芯部材の外径を縮小して、層状に密着して巻き取られたシート材を巻き芯部材から分離させる。
このため、感光材料や受像材料等のシート状の材料を巻き取って集積することができるのみならず、巻き取った後のシート材から手間や労力を要することなく容易に分離することができる。
【００１４】
請求項２に係る発明のシート材巻き取り用の巻き芯は、前記巻き芯部材に巻き掛けられ、該巻き芯部材との間に前記シート材を挟持して該巻き芯部材に巻き取らせる無端ベルトを有することを特徴としている。
【００１５】
請求項２に係る発明のシート材巻き取り用の巻き芯では、巻き芯部材と無端ベルとの間にシート材を挟持して巻き芯部材に巻き取っていく。
【００１６】
請求項３に係る発明のシート材巻き取り用の巻き芯は、前記巻き芯部材に巻き取られる前記シート材は、破棄される異なるサイズのシート材であることを特徴としている。
【００１７】
請求項３に係る発明のシート材巻き取り用の巻き芯では、シート材を巻き取って集積するため、異なるサイズのシート材が混在しても効率よく集積できる。
【００１８】
【発明の実施の形態】
以下、図面を参照して、本発明に係る実施の形態を説明する。
【００１９】
図４には本発明の第１の実施の形態に係るシート材巻き取り用の巻き芯部材１３０が適用された画像記録装置１０の全体構成が示されている。
【００２０】
この画像記録装置１０では、機台１２を備えている。機台１２内には、画像形成用シート材としての感光材料１４を収納する感材マガジン１６が配置されており、感材マガジン１６から引き出されたこの感光材料１４の感光（露光）面が図中左方へ向くように感材マガジン１６内にロール状に巻き取られている。
【００２１】
感材マガジン１６の感光材料取出し口の近傍には、ニップローラ１８及びカッタ２０が配置されており、感材マガジン１６から感光材料１４を所定長さ引き出した後に切断することができる。
【００２２】
カッタ２０の上方には、複数の搬送ローラ２２、２４、２６、２８、３０、３２が順に配置されており、各搬送ローラの間には図示しないガイド板が配設されている。搬送ローラ２２と搬送ローラ２４との間が露光部３４とされており、所定長さに切断された感光材料１４はこの露光部３４へ搬送されるようになっている。
【００２３】
露光部３４の左側にはレーザ光照射部３６が設けられている。レーザ光照射部３６には、図示を省略した半導体レーザが設置されており、赤色、緑色、及び青色の各レーザ光を照射して露光部３４に位置する感光材料１４を露光することができる。
【００２４】
さらに、露光部３４の上方には、画像形成用溶媒を塗布するための水塗布部３８が設けられている。感材マガジン１６から引き出され露光部３４にて露光された感光材料１４は、搬送ローラ２６、２８等によって挟持搬送されて水塗布部３８へ送り込まれる構成である。水塗布部３８には噴射タンク４０が配置されており、矢印Ｚで示す位置で噴射タンク４０から水が噴射されて感光材料１４に水を塗布することができる。
【００２５】
一方、機台１２内の図中左上端部には、受像材料４２を収納する受材マガジン４４が配置されている。受像材料４２の画像形成面には、媒染剤を有する色素固定材料が塗布されており、受材マガジン４４から引き出された受像材料４２の画像形成面が下方へ向くように受像材料４２が受材マガジン４４にロール状に巻き取られている。
【００２６】
受材マガジン４４の受像材料取出し口の近傍には、ニップローラ４６及びカッタ４８が配置されており、受材マガジン４４から受像材料４２を所定長さ引き出した後に切断することができる。なおこの場合、受像材料４２は、感光材料１４よりも短い長さに切断されるようになっている。
【００２７】
カッタ４８の側方には、搬送ローラ５０、５２、５４、５６及び図示しないガイド板が配置されており、所定長さに切断された受像材料４２を熱現像転写部５８へ搬送できるようになっている。
【００２８】
熱現像転写部５８には、それぞれ上下方向を長手方向とした一対の無端ベルト６０、６２が設けられている、これらの無端ベルト６０、６２は、それぞれ複数の巻き掛けローラ６４に巻き掛けられており、ループ状外側が互いに圧接している。これらの無端ベルト６０、６２は、巻き掛けローラ６４の何れかが駆動回転されることによりそれぞれ回転される。
【００２９】
従って、感光材料１４は、搬送経路の最後の搬送ローラ３２により熱現像転写部５８の一対の無端ベルト６０、６２間に送り込まれる。また、受像材料４２は感光材料１４の搬送に同期して搬送され、感光材料１４が所定長さ先行した状態で、搬送経路の最後の搬送ローラ５６により熱現像転写部５８の一対の無端ベルト６０、６２間に送り込まれて、感光材料１４に重ね合わされる構成である。
【００３０】
さらに、一方の無端ベルト６０のループ内には、上下方向を長手方向とした平板状に形成された加熱板６６が、無端ベルト６０の図中左側の内周部分に対向しつつ配置されている。この加熱板６６の内部には、図示しない線状のヒータが配置されており、このヒータによって加熱板６６の表面を昇温して所定の温度に加熱できるようになっている。
【００３１】
以上より、一対の無端ベルト６０、６２によって重ね合わされた感光材料１４及び受像材料４２は、重ね合わせられた状態のままで一対の無端ベルト６０、６２によって挟持搬送され、さらにこの際に加熱板６６によって加熱されることとなり、加熱に伴って感光材料１４が可動性の色素を放出し、同時にこの色素が受像材料４２の色素固定層に転写されて、受像材料４２に画像が形成されることができる構成である。
【００３２】
熱現像転写部５８（無端ベルト６０、６２）に対して材料供給方向下流側には、剥離爪６８が配置されている。剥離爪６８は、一対の無端ベルト６０、６２間で挟持搬送される感光材料１４と受像材料４２のうち、感光材料１４の先端部のみに係合して感光材料１４を受像材料４２から剥離させることができる。
【００３３】
剥離爪６８の図中左方には感材排出ローラ７０が配置されており、剥離爪６８に案内されながら移動される感光材料１４を、更に集積装置９０へ搬送できるようになっている。
【００３４】
またさらに、剥離爪６８の図中左方には受材排出ローラ７２、７４、７６、７８、８０が順に配置されており、一対の無端ベルト６０、６２から送り出された受像材料４２をトレイ８２へ排出することができる。
【００３５】
ここで、図５には、集積装置９０の構成が斜視図にて示されている。また、図６及び図７には、集積装置９０の構成が断面図にて示されている。
【００３６】
集積装置９０は、上本体部９２及び下本体部９４を備えている。上本体部９２及び下本体部９４は共に箱形に形成されており、上本体部９２の下端角部が支軸９６によって下本体部９４の上端角部に回動可能に連結されている。このため、上本体部９２が支軸９６周りに回動することで、装置内部を開放することができる。
【００３７】
また、下本体部９４には、後に詳述する巻き芯部材１３０、及びローラ９８、１００、１０２が支持されており、上本体部９２には、ローラ１０４、１０６、１０８、１１０、１１２が支持されている。さらに、これらの巻き芯部材１３０及びローラ９８、１００、１０２、１０４、１０６、１０８、１１０、１１２には無端ベルト１１４が巻き掛けられている。すなわち、無端ベルト１１４は、前記各ローラに巻き掛けられると共に、その無端状外側が巻き芯部材１３０に圧接されている。
【００３８】
ローラ９８には図示を省略した駆動源が連結されて駆動ローラとされている。また、ローラ９８の直上には案内ローラ１１６が設けられている。このため、ローラ９８が回転することにより、無端ベルト１１４及び案内ローラ１１６が回転されると共に、これに伴って巻き芯部材１３０も回転される構成である。
【００３９】
これにより、剥離爪６８によって受像材料４２から剥離され感材排出ローラ７０によって送り出された感光材料１４を、案内ローラ１１６によって無端ベルト１１４と巻き芯部材１３０との間へ案内送給し、さらに、無端ベルト１１４と巻き芯部材１３０との間で挟持しながら巻き芯部材１３０に順次巻き取ることができる。
【００４０】
また、ローラ１０４にはスプリング１１８が連結されており、無端ベルト１１４に所定の張力を付与している。また、このローラ１０４の軸線方向両端部には、円錐台形のガイド部１２０が設けられており、無端ベルト１１４の蛇行（ズレ）を防止することができる。
【００４１】
さらに、最も上方に位置するローラ１０８は、上本体部９２に設けられたガイド溝１２２に沿ってスライド移動可能とされており、さらにスプリング１２４によって付勢されている。すなわち、これらのローラ１０８及びスプリング１２４は、無端ベルト１１４のバッファ部１２６を構成しており、感光材料１４を巻き芯部材１３０に巻き取ることにより次第に巻き径が拡大した際に、ローラ１０８がガイド溝１２２に沿って移動（変移）して無端ベルト１１４の巻掛け長さの見掛け上の増減を吸収することができるようになっている。
【００４２】
ここで、図１には、前述した巻き芯部材１３０の斜視図が示されている。また、図２及び図３にはこの巻き芯部材１３０の断面図が示されている。
【００４３】
この巻き芯部材１３０は、第１の本体部１３２と第２の本体部１３４とによって構成されており、全体として略円筒形に形成されている。
【００４４】
第１の本体部１３２の軸線方向両端部には爪１３６が径方向に突出形成されており、一方、第２の本体部１３４の軸線方向両端部には前記爪１３６に対応して嵌合孔１３８が形成されている。この爪１３６が嵌合孔１３８に嵌まり込むことにより、第１の本体部１３２と第２の本体部１３４が一体的に結合されて、全体として略円筒形の巻き芯部材１３０を構成している。
【００４５】
また、巻き芯部材１３０（第１の本体部１３２及び第２の本体部１３４）の内部には、外径縮小機構を構成する一対のカム１４０が収容配置されている。各カム１４０は略円盤形に形成されており、支軸１４２によって連結されている。この支軸１４２が第１の本体部１３２の支持孔１４４に入り込むことでカム１４０が巻き芯部材１３０（第１の本体部１３２及び第２の本体部１３４）の内部に回転可能に支持され、さらにこの支持状態において、各カム１４０は、第２の本体部１３４の軸線方向両端部近傍に位置している。
【００４６】
また、カム１４０には、外周縁に開口するカム溝１４６が形成されている。カム溝１４６は、カム１４０の外周縁から次第に中心へ向けて切り込まれて形成されており、開口側の端部には保持部１４８が形成されている。このカム溝１４６には、第２の本体部１３４の軸線方向両端壁内面に突出形成された突起１５０が入り込んでいる。この場合、突起１５０がカム溝１４６の保持部１４８に位置した状態では、突起１５０すなわち第２の本体部１３４は、カム１４０すなわち第１の本体部１３２から離間した状態とされると共に、第２の本体部１３４の第１の本体部１３２への接近移動が制限される。一方、カム１４０が支軸１４２と共に回転すると、カム溝１４６の内周壁が突起１５０に係合し、突起１５０すなわち第２の本体部１３４を、第１の本体部１３２へ引き寄せる（接近させる）ことができる構成である。
【００４７】
また、各カム１４０にはそれぞれスプリング１５２の一端が連結されており、さらに、各スプリング１５２の他端は第１の本体部１３２にそれぞれ係止されている。このスプリング１５２は、カム溝１４６から突起１５０が抜け出す方向にカム１４０を付勢している。このため、通常は、突起１５０はカム溝１４６の保持部１４８に位置しており、これにより、第２の本体部１３４は、第１の本体部１３２から離間した状態とされると共に第１の本体部１３２への接近移動が制限された状態となっている。
【００４８】
一対のカム１４０を連結すると共にこれを支持する支軸１４２の一端は、第１の本体部１３２の支持孔１４４及び第２の本体部１３４の透孔１４５から外部に突出しており、さらに、先端にハンドル１５４が取り付けられている。これにより、ハンドル１５４を操作することで支軸１４２すなわちカム１４０を回転させることができる構成である。
【００４９】
次に、本第１の実施の形態の作用を説明する。
上記構成の画像記録装置１０では、ニップローラ１８が作動され、感光材料１４がニップローラ１８によって引き出される。感光材料１４が所定長さ引き出されると、カッタ２０が作動して、感光材料１４が所定長さに切断されると共に、その感光（露光）面を図中左方へ向けた状態で露光部３４へ搬送される。そして、この感光材料１４の露光部３４の通過と同時にレーザ光照射部３６が作動する。
【００５０】
レーザ光照射部３６では、画像データに基づいたレーザ光が発せられ露光部３４に位置する感光材料１４に照射される。これにより、感光材料１４に画像データに基づく画像が走査露光される。
【００５１】
そして、露光された感光材料１４は、水塗布部３８に送られる。水塗布部３８では、搬送中の感光材料１４に向けて噴射タンク４０から水が噴射され、感光材料１４に水が塗布される。その後、水が塗布された感光材料１４は、搬送ローラ３２によって熱現像転写部５８の一対の無端ベルト６０、６２間へ送り込まれる。
【００５２】
他方、感光材料１４へ走査露光されるに伴って、受像材料４２も受材マガジン４４からニップローラ４６によって引き出されて搬送される。受像材料４２が所定長さ引き出されると、カッタ４８が作動して受像材料４２が所定長さに切断される。
【００５３】
カッタ４８の作動後は、切断された受像材料４２がガイド板によって案内されながら搬送ローラ５０、５２、５４、５６によって搬送される。受像材料４２の先端部が搬送ローラ５６によって挟持されると、受像材料４２は熱現像転写部５８の直前で待機状態となる。
【００５４】
そして、前述のように感光材料１４が搬送ローラ３２によって一対の無端ベルト６０、６２間へ送り込まれるのに伴って、受像材料４２の搬送が再開されて、一対の無端ベルト６０、６２間へ受像材料４２が感光材料１４と一体的に送り込まれる。
【００５５】
これにより、感光材料１４と受像材料４２とが重ね合わせられ、重なり合った感光材料１４と受像材料４２とが加熱板６６により加熱されつつ挟持搬送される。この結果、感光材料１４に露光された画像が受像材料４２へ転写され、受像材料４２に画像が形成される。
【００５６】
さらに、一対の無端ベルト６０、６２からこれらが排出されると、受像材料４２よりも所定長さ先行して搬送される感光材料１４の先端部に剥離爪６８が係合し、感光材料１４の先端部を受像材料４２から剥離する。さらに、この感光材料１４は感材排出ローラ７０によって搬送され、集積装置９０内に集積される。
【００５７】
一方、感光材料１４と分離された受像材料４２は、受材排出ローラ７２、７４、７６、７８、８０によって搬送されて、トレイ８２へ排出される。
【００５８】
ここで、感光材料１４が集積される集積装置９０においては、剥離爪６８によって受像材料４２から剥離され感材排出ローラ７０によって送り出された感光材料１４は、案内ローラ１１６によって無端ベルト１１４と巻き芯部材１３０（第１の本体部１３２と第２の本体部１３４）との間へ案内送給される。これにより、感光材料１４は、無端ベルト１１４と巻き芯部材１３０との間で挟持されながら巻き芯部材１３０に順次巻き取られる。
【００５９】
この集積装置９０においては、巻き取られる感光材料１４は水が塗布された後に加熱されたものであり粘着性を有しており、確実に巻き芯部材１３０に巻き取ることができる。一枚一枚重ねて集積することが困難な粘着性を有するシートを集積する場合に特に有効である。
【００６０】
なお、巻き芯部材１３０は、図２に示す如く第２の本体部１３４の突起１５０がカム１４０（カム溝１４６）の保持部１４８に位置しており、第２の本体部１３４は第１の本体部１３２から離間した状態とされると共に、第２の本体部１３４の第１の本体部１３２への接近移動が制限されている。このため、巻き芯部材１３０が不用意に縮径することがない。
【００６１】
さらに、感光材料１４が巻き芯部材１３０に巻き取られることにより次第に巻き径が拡大すると、無端ベルト１１４のバッファ部１２６を構成するローラ１０８がガイド溝１２２に沿って図６右方向へ移動（変移）して、巻き径が拡大することによる無端ベルト１１４の巻掛け長さの見掛け上の増減が吸収される。
【００６２】
このように、感光材料１４を巻き芯部材１３０に巻き取って集積するため、仮に異なるサイズの感光材料１４が混在していても、無駄なく効率よく集積することができる。また、巻き芯部材１３０と無端ベルト１１４との間で挟持して集積するため、感光材料１４がカールすることがない。さらにこのため、カール防止用の押さえ板を設けたり、感光材料１４に折り目（コルゲーション）を付けて剛性を上げる等の対策が不要であり、構造が簡単で低コストになる。
【００６３】
また、この集積装置９０では、上本体部９２を下本体部９４に対し支軸９６周りに回動させて装置内部を開放状態とすると、図７に示す如く巻き芯部材１３０が露出される。したがって、容易に内部に集積された感光材料１４を取り出したり、メンテナンスを実施できる。
【００６４】
さらにここで、集積装置９０では、巻き芯部材１３０及び複数のローラ９８等を支持する上本体部９２及び下本体部９４によって装置がユニットとして構成されるため、画像記録装置１０に限らず他の装置であっても適用することができ、また、感光材料１４に限らず他のシート状の材料であっても集積することができ、大幅に汎用性が拡大する。
【００６５】
またさらに、集積装置９０の巻き芯部材１３０は、第１の本体部１３２と第２の本体部１３４とによって構成されており、外径を縮小することができるため、感光材料１４を巻き取って集積した後に巻き芯部材１３０を容易に感光材料１４から分離する（抜き取る）ことができる。
【００６６】
すなわち、感光材料１４が巻き芯部材１３０に層状に巻き取られた後に、層状に巻き取られた感光材料１４から巻き芯部材１３０を分離する（抜き出す）際には、先ず、巻き芯部材１３０を感光材料１４と共に下本体部９４から取り外す。次いで、ハンドル１５４を操作することで支軸１４２すなわちカム１４０を回転させる。カム１４０が支軸１４２と共に回転されると、カム溝１４６の内周壁が突起１５０に係合し、突起１５０すなわち第２の本体部１３４が第１の本体部１３２へ引き寄せられ、巻き芯部材１３０の外径が縮小される（図３図示状態）。これにより、層状に密着して巻き取られた感光材料１４から巻き芯部材１３０を容易に分離する（抜き取る）ことができる。
【００６７】
このように、巻き芯部材１３０は、感光材料１４等のシート状の材料を巻き取って集積することができるのみならず、巻き取った後の感光材料１４から手間や労力を要することなく容易に分離することができる。
【００６８】
また、巻き芯部材１３０は第１の本体部１３２と第２の本体部１３４とから成る構成であるため、構造も極めて簡単である。さらに、巻き芯部材１３０は、ハンドル１５４を操作してカム１４０を回転させることにより第１の本体部１３２と第２の本体部１３４とを接近移動させることができるため、極めて容易な操作で外径を拡縮させることができ、手間や労力を要することがない。
【００６９】
次に、本発明の第２の実施の形態を説明する。
図８には、第２の実施の形態に係る巻き芯部材１６０の斜視図が示されている。また、図９にはこの巻き芯部材１６０の断面図が示されている。
【００７０】
この巻き芯部材１６０は、第１の本体部１６２と第２の本体部１６４とによって構成されており、全体として略円筒形に形成されている。
【００７１】
第１の本体部１６２の軸線方向両端部には爪１６６が径方向に突出形成されており、一方、第２の本体部１６４の軸線方向両端部には前記爪１６６に対応して嵌合孔１６８が形成されている。この爪１６６が嵌合孔１６８に嵌まり込むことにより、第１の本体部１６２と第２の本体部１６４が一体的に結合されて、全体として略円筒形の巻き芯部材１６０を構成している。
【００７２】
また、巻き芯部材１６０（第１の本体部１６２及び第２の本体部１６４）の内部には、外径縮小機構を構成する一対のカム１７０が収容配置されている。各カム１７０は略円錐形の扇状に形成されており、支軸１７２によって連結されている。この支軸１７２が第１の本体部１６２の支持孔１７４に入り込むことでカム１７０が巻き芯部材１６０（第１の本体部１６２及び第２の本体部１６４）の内部に軸線方向に移動可能に支持されている。
【００７３】
一方、第２の本体部１６４には、リブ１７６が形成されると共に、前記カム１７０に対応して係合部１７８が形成されている。これにより、支軸１７２が軸線方向に移動すると、カム１７０が係合部１７８に係合し、係合部１７８すなわち第２の本体部１６４を、第１の本体部１６２へ引き寄せる（接近させる）ことができる構成である。
【００７４】
また、カム１７０を支持する支軸１７２の一端は支持孔１７４から外部に突出しており、さらに、圧縮スプリング１８０が巻装されている。この圧縮スプリング１８０は、カム１７０が係合部１７８から離間する方向に支軸１７２を付勢している。このため、通常は、カム１７０は係合部１７８と非係合状態となっている。
【００７５】
一方、支軸１７２の他端は支持孔１７４から外部に突出しており、さらに、先端にハンドル１８２が取り付けられている。これにより、ハンドル１８２を操作することで支軸１７２を軸線方向に移動させることができる構成である。
【００７６】
次に、本第２の実施の形態の作用を説明する。
上記構成の巻き芯部材１６０では、第１の本体部１６２と第２の本体部１６４とによって構成されており、外径を縮小することができるため、感光材料１４を巻き取って集積した後に巻き芯部材１６０を容易に感光材料１４から分離する（抜き取る）ことができる。
【００７７】
すなわち、感光材料１４が巻き芯部材１６０に層状に巻き取られた後に、層状に巻き取られた感光材料１４から巻き芯部材１６０を分離する（抜き出す）際には、ハンドル１８２を圧縮スプリング１８０の付勢力に抗して操作することで、支軸１７２を軸線方向に移動させる。これにより、カム１７０が係合部１７８に係合して、第２の本体部１６４が第１の本体部１６２へ引き寄せられ、巻き芯部材１６０の外径が縮小される。したがって、層状に密着して巻き取られた感光材料１４から巻き芯部材１６０を容易に分離する（抜き取る）ことができる。
【００７８】
このように、巻き芯部材１６０は、感光材料１４等のシート状の材料を巻き取って集積することができるのみならず、巻き取った後の感光材料１４から手間や労力を要することなく容易に分離することができる。
【００７９】
また、巻き芯部材１６０は第１の本体部１６２と第２の本体部１６４とから成る構成であるため、構造も極めて簡単である。さらに、巻き芯部材１６０は、ハンドル１８２を操作してカム１７０を移動させることにより第１の本体部１６２と第２の本体部１６４とを接近移動させることができるため、極めて容易な操作で外径を拡縮させることができ、手間や労力を要することがない。
【００８０】
【発明の効果】
以上説明した如く本発明に係るシート材巻き取り用の巻き芯は、感光材料や受像材料等のシート状の材料を巻き取って集積することができるのみならず、巻き取った後のシート材から手間や労力を要することなく容易に分離することができ、かつこれを簡単な構造により実現できるという優れた効果を有している。
【図面の簡単な説明】
【図１】本発明の第１の実施の形態に係る巻き芯部材の構成を示す斜視図である。
【図２】本発明の第１の実施の形態に係る巻き芯部材の構成を示す断面図である。
【図３】本発明の第１の実施の形態に係る巻き芯部材の構成を示す縮径状態の断面図である。
【図４】本発明の第１の実施の形態に係る巻き芯部材が適用された画像記録装置の全体構成図である。
【図５】本発明の第１の実施の形態に係る巻き芯部材が適用された集積装置の構成を示す斜視図である。
【図６】本発明の第１の実施の形態に係る巻き芯部材が適用された集積装置の構成を示す断面図である。
【図７】本発明の第１の実施の形態に係る巻き芯部材が適用された集積装置の構成を示す装置開放状態の断面図である。
【図８】本発明の第２の実施の形態に係る巻き芯部材の構成を示す斜視図である。
【図９】本発明の第２の実施の形態に係る巻き芯部材の構成を示す断面図である。
【符号の説明】
１４    感光材料（シート材）
１３０  巻き芯部材
１３２  第１の本体部
１３４  第２の本体部
１４０  カム（外径縮小機構）
１４２  支軸
１４６  カム溝
１４８  保持部
１５０  突起（外径縮小機構）
１５２  スプリング
１５４  ハンドル
１６０  巻き芯部材
１６２  第１の本体部
１６４  第２の本体部
１７０  カム（外径縮小機構）
１７２  支軸
１７８  係合部（外径縮小機構）
１８０  圧縮スプリング
１８２  ハンドル
【図１】
0003776509.tif 000002
【図２】
0003776509.tif 000003
【図３】
0003776509.tif 000004
【図４】
0003776509.tif 000005
【図５】
0003776509.tif 000006
【図６】
0003776509.tif 000007
【図７】
0003776509.tif 000008
【図８】
0003776509.tif 000009
【図９】
0003776509.tif 000010